(57)【要約】      （修正有）【課題】スライド可能上板を有する納骨容易な墓石を提供する。【解決手段】墓石上台１の前面に拝石３と供物台上板６を有する墓石において、上台および拝石に対する上板の所定範囲内での水平移動手段と水平移動阻止手段とを設けたことを特徴とする。水平移動手段を、拝石上に設けられた溝４内を上板下面に設けたローラーの転動によるものとし、水平移動阻止手段を、上板両側方に近接して可動可能に位置する花立ての側方に突設したスライドストッパーと上板側方に設けた凹部との組み合わせによるものとした。【選択図】図９
0003213534.tif 000002
【実用新案登録請求の範囲】
【請求項１】
墓石上台前面に拝石と供物台上板を有する墓石において、上台および拝石に対する上板の所定範囲内での水平移動手段と水平移動阻止手段とを設けたことを特徴とする供物台可動型墓石。
【請求項２】
上板の水平移動手段を、拝石上に設けられた溝内を上板下面に設けたローラーの転動によるものとし、上板の水平移動阻止手段を、上板両側方に近接して可動可能に位置する花立ての側方に突設したスライドストッパーと上板側方に設けた凹部との組み合わせによるものとした請求項１記載の供物台可動型墓石。
【考案の詳細な説明】
【技術分野】
【０００１】  この考案は、納骨を容易に行うことのできる構造を備えた墓石に関する。
【背景技術】
【０００２】  従来からの一般的な墓石は、その前面に供物台上板を有するが、納骨時にはこの供物台上板（以下、単に上板と称する）を持ち上げて他の場所へ移動させる手段が必要であり、本案にて示すように、上板のスライド機能を備えた墓石は見あたらない。
【考案の概要】
【考案が解決しようとする課題】
【０００３】  既述のように、従来の墓石における納骨作業は重量物である石材の上板を移動しなければならず、石材の種類やサイズおよび形状によっては成人男性でも困難な場合がある。
また、作業時における石材の損傷やけが等も懸念される。宗旨・宗派によっては納骨儀式の際に、上板上面に骨箱、供物、仏具等を置いて墓前供養を行い、その後に納骨作業を行うため、上板上の物品を他の場所に移動させなければ納骨も困難である。
本案は、以上のような従来からの墓石構造に関わる課題を解決するために考案されたもので、上板のスライド機構をおよび上板の水平方向ロック機構を設けることにより、上板の他の場所への移動手段を要せず、容易に納骨を行うことのできる、新規かつ有用なる墓石構造を提供することを目的として開発されたものである。
【課題を解決するための手段】
【０００４】  課題を解決する手段として本案は以下の構成とした。
すなわち、墓石上台前面に拝石と供物台上板を有する墓石において、上台および拝石に対する上板の所定範囲内での水平移動手段と水平移動阻止手段とを設ける。
本案は以上の構成による供物台可動型墓石である。
【考案の効果】
【０００５】  本案によれば、拝石に対して上板を水平移動可能に設けたので、納骨時において従来のような上板を拝石から持ち上げて他の場所へ移動することなく、上板をスライドさせるだけで納骨することのできる有用なる墓石構造を提供することができる。なお、上板の移動範囲制限構造を取り入れることにより、拝石からの上板の脱落および上板移動による納骨空隙の不用意な露出を防止することができる。
【図面の簡単な説明】
【０００６】
【図１】本考案の要部平面図（一部略）
【図２】本考案の要部正面図
【図３】本考案の要部左側面図（一部略）
【図４】本考案の上台の拡大斜視図
【図５】本考案の拝石の拡大斜視図
【図６】本考案の上板の拡大斜視図
【図７】本考案の上板の拡大底面図
【図８】本考案の要部斜視図（納骨空隙露出時）
【図９】本考案の上板移動機構説明図
【図１０】本考案の花立ての拡大斜視図
【図１１】本考案の上板ストッパー機構説明図
【図１２】本考案の使用状態図
【考案を実施するための最良の形態】
【０００７】  以下、本考案の実施形態について説明する。
図において、１は石材による略直方体形状の上台で、その下方中間部は切除されて空隙２を有している。この空隙は図９にて示すように、後端から前方に向けて一定高さで切除されるが、前方に近い部分は円弧状に下降し、所定高さに至れば再びその高さのまま前端まで達するよう形成される。３は拝石で、所定厚さの長方形石板を切除して形成される。
拝石中央後端から前方に向かって一定幅に切除され、また、後方両側は各々切除されて段部が設けられる。さらに、図５のごとく後端から前方に向かう一定幅細長の溝４が刻設される。この溝の最前位置と最後位置近傍には一段深く所定長さに形成されるローラー受け部５が各々形成される。【０００８】  ６は上板で、略長方形状の石板後端を略円柱状に膨大形成したストッパー７を一体に設けたものである。また、この上板下面には四角状の凹部８が設けられ、この凹部適所にはさらに一段深く切除された部分が４個所設けられ、ここに市販の戸車状のローラー９がビス止めされる。以上の上台と拝石および上板は次のように組み合わされる。
まず、上台の前面空隙内に、拝石の後部が挿入され、拝石段部は上台前面に当接して位置が定まる。次に、その下面にローラーを取り付けた上板を、上台後方から拝石上面に乗せて挿入する。このとき、ローラー下部は溝内に位置し、転がりながら上板の移動がなされる。以上にて３つの石材が組み合わされて図１２のごとく墓石の他の石材に組み合わされ固定される。【０００９】  １０は花立てである。この花立ては略直方体形状の石材の外側面に装飾的段部を有し、該石材の上面から底面に向かう孔を有し、この孔内に、上部をラッパ形とした有底円筒が挿入されている。この円筒内に適量の水を入れて花立てとして用いる。
本案の花立ては図１０にて示すように外面下部側方に横長直方体形状のスライドストッパー１１を突設しており、このスライドストッパーは１個の花立てについて１箇所である。
また、図１１にて示すように、上板側面には前記スライドストッパーサイズよりやや大きなサイズの直方体的な凹部１２が形成されている。従って図のように花立てを移動させてこのストッパー１１を凹部１２内に挿入が可能である。以上の機構から花立ては上板のスライド移動ストッパーとして用いることができて、不用意な上板の平行移動は阻止されて納骨空隙の不用意な露出は阻止される。【００１０】  本案の使用に際しては、まず上板を図１のように、拝石の中央切除部を覆う位置にあることを確かめる。このとき、上板の前方ローラーはローラー受け部内に位置し、ストッパーは上台空隙部内の円弧状部に当接している。従って上板がさらに前方に移動することはない。納骨時は、上板をゆっくり押すことにてローラーは拝石の溝内を進行し、やがて図９のごとく後方のローラーがローラー受け部内に位置して、上板の最奥位置が定まり静止する。このとき、上板前方の一部分のみが上台前方に突出し、拝石の中央切除部と、この切除部下方の空隙が露出して、ここから納骨することができる。納骨後は、既述と逆の手順にて上板を初期位置へともどして作業完丁となる。【００１１】  以上、本案について記したが、本案は拝石に対して上板を所定範囲内にて容易にスライドさせるところにその特徴を有し、従来のように上板を別場所に移動させることなく納骨できる利便性を有するものである。また、既述のごとく花立ての位置により上板の水平移動阻止を行うことができる。なお、既述の例は実施の一例であり、近似の他の構成としてもよい。以上のごとく本案によって納骨に便利なる墓石を提供することができる。
【符号の説明】
【００１２】  １  上台
２  空隙
３  拝石
４  溝
５  ローラー受け部
６  上板
７  ストッパー
８  凹部
９  ローラー
１０  花立て
１１  スライドストッパー
１２  凹部
２０  竿石
２１  香炉
【図１】
0003213534.tif 000003
【図２】
0003213534.tif 000004
【図３】
0003213534.tif 000005
【図４】
0003213534.tif 000006
【図５】
0003213534.tif 000007
【図６】
0003213534.tif 000008
【図７】
0003213534.tif 000009
【図８】
0003213534.tif 000010
【図９】
0003213534.tif 000011
【図１０】
0003213534.tif 000012
【図１１】
0003213534.tif 000013
【図１２】
0003213534.tif 000014